(57)【特許請求の範囲】
【請求項１】
容器の口筒部に取着され、キャップ本体と上蓋からなるヒンジキャップにおいて、
キャップ本体は、注出筒と、容器口筒部に嵌着される係合筒部とを具え、
注出筒の内周には、周方向に所定の距離の間欠部を複数形成した間欠リブが配設され、
係合筒部の上部には、上面に蓋係合面を形成し、上部外周に膨出部を設けた蓋係合部が突設されており、
上蓋は、頂壁と外筒壁と、頂壁下面に垂設され、キャップ本体の注出筒の内周に係合する内筒壁とを具え、
外筒壁下端内周には、閉蓋時に、キャップ本体の蓋係合部の蓋係合面に当接する係合面と、膨出部の下方周面と係合する係合突部を設けた係合部が形成され、
係合面には、空気溝が配設されており、
打栓時に、上蓋の内筒壁外周下端部が、注出筒の間欠リブに当接し、乗り上げるとともに、上蓋の外筒壁下端部が外方に僅かに変形することを特徴とするヒンジキャップ。
【請求項２】
上蓋の内筒壁外周下端部に、キャップ本体の注出筒内周に摺接する膨出環が周設されていることを特徴とする請求項１記載のヒンジキャップ。
【請求項３】
係合筒部上部の蓋係合面が、外方に傾斜する傾斜面となっており、上蓋外筒壁の係合面が、蓋係合面と接合する傾斜面となっていることを特徴とする請求項１または２記載のヒンジキャップ。
【発明の詳細な説明】
【技術分野】
【０００１】
本発明は、ヒンジキャップ、とくに容器内に充填した加熱殺菌された内容液によりキャップの上蓋内の空気が加熱され、内圧が上昇してキャップの上蓋が開蓋することを防止したヒンジキャップに関するものである。
【背景技術】
【０００２】
殺菌のため加熱された内容液を充填するヒンジキャップにおいて、内容液充填後、ヒンジキャップを打栓した後、容器内部を殺菌し、次いで容器外部より温水シャワーで洗浄、冷却することは従来より行われている。
【０００３】
また、キャップ打栓後に、内容液の熱によりキャップ内の空気の内圧が上昇するためキャップの上蓋が開蓋することを防止するために、キャップ内の内圧が上昇すると、上蓋とキャップ本体の間に空気の流通路を形成し、キャップ内の空気を容器外に逃がし、キャップの上蓋内の内圧上昇を防止するようにしたキャップも従来より知られている（例えば、特許文献１参照）。  
【特許文献１】特開２０００−２７２６４８号公報
【発明の開示】
【発明が解決しようとする課題】
【０００４】
しかしながら、上記特許文献１記載のヒンジキャップでは、キャップ内の空気圧により空気の流通路を形成、または閉鎖しているので、キャップ内の空気圧が高く、空気の流通路が形成されているときに、容器外から温水シャワーで冷却すると、キャップ内の空気圧が低下し、空気の流通路が閉鎖される前に空気と一緒に温水までキャップ内に吸い込むという問題があった。
【０００５】
また、加熱により、キャップ内の空気圧が急激に上昇した場合、空気圧が上蓋（２０）の側壁部（２２）を押圧して外方に変形させ、側壁部（２２）と中蓋（２）の係合凹部（９）との係合が外れ、上蓋（２０）が開蓋することもあった。
【０００６】
本発明は、上記問題を解決することを課題とし、加熱によるキャップ内の空気の圧力上昇を抑制し、ヒンジキャップの上蓋が圧力上昇によって開蓋することがなく、また、温水シャワー時に温水がキャップ内に侵入することを防止できるヒンジキャップを提供することを目的とする。
【課題を解決するための手段】
【０００７】
本発明は、上記の課題を解決するため、ヒンジキャップとして、容器の口筒部に取着され、キャップ本体と上蓋からなるヒンジキャップにおいて、キャップ本体は、注出筒と、容器口筒部に嵌着される係合筒部とを具え、注出筒の内周には、周方向に所定の距離の間欠部を複数形成した間欠リブが配設され、係合筒部の上部には、上面に蓋係合面を形成し、上部外周に膨出部を設けた蓋係合部が突設されており、上蓋は、頂壁と外筒壁と、頂壁下面に垂設され、キャップ本体の注出筒の内周に係合する内筒壁とを具え、外筒壁下端内周には、閉蓋時に、キャップ本体の蓋係合部の蓋係合面に当接する係合面と、膨出部の下方周面と係合する係合突部を設けた係合部が形成され、係合面には、空気溝が配設されており、打栓時に、上蓋の内筒壁外周下端部が、注出筒の間欠リブに当接し、乗り上げるとともに、上蓋の外筒壁下端部が外方に僅かに変形することを特徴とする構成を採用する。
【０００８】
内筒壁の一実施例として、上蓋の内筒壁外周下端部に、キャップ本体の注出筒内周に摺接する膨出環が周設されていることを特徴とする構成を採用する。
また、キャップ本体と上蓋の外周壁との実施例として、係合筒部上部の蓋係合面が、外方に傾斜する傾斜面となっており、上蓋外筒壁の係合面が、蓋係合面と接合する傾斜面となっていることを特徴とする構成を採用する。
【発明の効果】
【０００９】
本発明の容器は、容器の口筒部に取着され、注出筒と容器口筒部に嵌着される係合筒部とを具えたキャップ本体と、内筒壁と外筒壁とを具えた上蓋とからなるヒンジキャップにおいて、注出筒の内周に、周方向に所定の距離の間欠部を複数形成した間欠リブ配設し、係合筒部の上部に蓋係合傾斜面を形成した蓋係合部を突設し、上蓋の外筒壁下端内周に上傾斜内面を設けた係合部を具えている。
そのことにより、加熱された内容液を充填した容器本体の口筒部にヒンジキャップを打栓した時の上方からの押圧により、上蓋の内筒壁内方から内筒壁外方へ、および内筒壁外方から容器外部への空気の流通路を形成して空気を容器外に排出し、打栓終了時に、空気の流通路を速やかに閉鎖することができる。
【００１０】
容器内の空気を排出し、速やかに空気の流路を閉鎖することで、ヒンジキャップ内を僅かに負圧にし、加熱によりキャップ内の空気が圧力上昇しても、上蓋が開蓋するまでの圧力上昇が行われず、上蓋が開蓋することを防止できる。
【発明を実施するための最良の形態】
【００１１】
次に、本発明のヒンジキャップについて、実施例をあげ、図面を参照して説明する。
【実施例１】
【００１２】
図１において、Ａは容器本体に打栓されるキャップ本体、Ｂはキャップ本体ＡにヒンジＣを介して一体成形された上蓋である。
容器本体の口筒部１外周には、係合突条２が設けられている。
【００１３】
図１、２に示すように、キャップ本体Ａは、底壁５と、底壁５の周縁に連設される注出筒６と、注出筒６の下端外周よりリング状底壁７を介して連設される係合筒部８と、係合筒部８外周に一定の間隔をもって連設され、上端外周の所定の位置にヒンジＣを連設する外周筒部９とからなっている。
【００１４】
底壁５には、注出口１０を開口する薄肉の弱化部１１が設けられており、底壁５の上面には、弱化部１１の区画内に、注出口１０の開口時に引上げるプルリング１２が設けられている。
【００１５】
注出筒６の内周上部には、周方向に、所定の距離の間欠部１３ａを複数形成した間欠リブ１３が配設されている。
【００１６】
係合筒部８は、リング状の上壁１５と、上壁１５の内周縁に垂設され、内周がリング状底壁７外周縁と接続する内筒１６と、上壁１５の外周縁に垂設された外筒１７と、上壁１５の上部に立設され、上蓋Ｂと係合する蓋係合部１８とからなっている。
外筒１７の内周には、容器本体の口筒部１の係合突条２と係合する係合突条１９が設けられており、係合筒部８は、打栓時に、内筒１６外周と外筒１７内周により、容器本体の口筒部１を挟持することで、キャップ本体Ａを容器本体の口筒部１に装着される。
【００１７】
外筒１７の下端外周と外周筒部９の下端内周は、外周筒部９のヒンジＣの反対側に設けられた連結片２０と、間隔をおいて複数配設された破断可能な弱化片２１とを介して連設されている。
【００１８】
図１、図４（ａ）に示すように、蓋係合部１８の上面には、内方から外方下方に向かい僅かに傾斜する蓋係合傾斜面２５が形成され、外周には、外筒１７外周より縮径された縮径部２６と、その上端部に縮径部２６より拡径された膨出部２７とが形成されており、膨出部２７の最突部の下方周面は係合面２７ａとなっている。
【００１９】
上蓋Ｂは、頂壁３０と、頂壁３０の周縁に垂設された外筒壁３１とからなり、頂壁３０下面には、キャップ本体Ａの注出筒６の内周に挿入される内筒壁３２が垂設されている。
外筒壁３１の内周下端は、拡径され、キャップ本体Ａの係合筒部８の蓋係合部１８と係合する係合部３３が設けられており、外周下端の所定の位置に、ヒンジＣが連設されている。
【００２０】
係合部３３は、キャップ閉蓋時にキャップ本体Ａの蓋係合部１８の蓋係合傾斜面２５に当接し、係合するように僅かに傾斜した上傾斜内面３３ａと、蓋係合部１８の外周と係合する側内面３３ｂとから形成されている。
上傾斜内面３３ａには空気溝３４が配設され、側内面３３ｂの下端には、キャップ本体Ａの蓋係合部１８の膨出部２７と係合する係合突部３５が設けられている。
係合突部３５は、最突部の上方周面がキャップ本体Ａの蓋係合部１８の膨出部２７の係合面２７ａに係合する係合面３５ａとなっている。
【００２１】
次に、本実施例のヒンジキャップの作用効果について説明する。
上蓋Ｂの係合部３３とキャップ本体Ａの蓋係合部１８とを係合させ、上蓋Ｂをキャップ本体Ａに閉蓋すると、図１に示すように、ヒンジキャップ内には、係合したキャップ本体Ａの注出筒６と上蓋Ｂの内筒壁３２より内側に空気室ａ、および外側に空気室ｂが形成される。
【００２２】
次に、容器本体内に加熱された内容液を充填し、容器本体の口筒部１に、閉蓋したヒンジキャップを上方から打栓する。
【００２３】
打栓前のヒンジキャップ内は、キャップ本体Ａの注出筒６内周面と、上蓋Ｂの内筒壁３２外周との係合により、空気室ａと空気室ｂとの空気の流通路が封鎖されている。
また、上蓋Ｂの外筒壁３１の係合部３３の係合突部３５の係合面３５ａと、キャップ本体Ａの係合筒部８の蓋係合部１８の膨出部２７の係合面２７ａとの係合により、空気室ｂ内とヒンジキャップ外との空気の流通路が封鎖されている。
【００２４】
打栓時には、ヒンジキャップの上蓋Ｂの上部より強い押圧力がかかり、上蓋Ｂがキャップ本体Ａに対して押圧され、下降する。
上蓋Ｂが下降することにより、図３、図４（ｂ）に示すように、上蓋Ｂの内筒壁３２の外周下端部が、キャップ本体Ａの注出筒６内周面を摺動する。
さらに下降し、内筒壁３２の外周下端部が注出筒６内周に周設した間欠リブ１３に当接し、乗り上げることで、内筒壁３２が内方に変形し、上蓋Ｂの内筒壁３２外周とキャップ本体Ａの注出筒６内周との係合が外れ、間隙を形成する。
【００２５】
このことにより、上蓋Ｂがキャップ本体Ａに対して下降し、押圧された空気室ａ内の空気が、間欠リブ１３の間欠部１３ａを流通路とし、上蓋Ｂの内筒壁３２外周とキャップ本体Ａの注出筒６内周との間隙を通り、空気室ｂ内に排出される。
【００２６】
また、上蓋Ｂがキャップ本体Ａに対して押圧され、上蓋Ｂの係合部３３の上傾斜内面３３ａがキャップ本体Ａの蓋係合部１８の蓋係合傾斜面２５の面上を摺動することにより、上蓋Ｂの外筒壁３１の下方を、外方へ僅かに変形させる。
【００２７】
上蓋Ｂの外筒壁３１が外方へ変形することにより、上蓋Ｂの係合突部３５の係合面３５ａと、キャップ本体Ａの蓋係合部１８の膨出部２７の係合面２７ａとの係合が外れ、間隙をつくる。
【００２８】
そして、上蓋Ｂがキャップ本体Ａに対して下降し、押圧された空気室ｂ内の空気は、上蓋Ｂの係合部３３の上傾斜内面３３ａと、キャップ本体Ａの蓋係合部１８の蓋係合傾斜面２５との係合部より、上傾斜内面３３ａに配設した空気溝３４を通り、上蓋Ｂの係合突部３５の係合面３５ａと、キャップ本体Ａの膨出部２７の係合面２７ａとの間隙を通り、キャップ本体Ａの係合筒部８と外周筒部９と弱化片２１同士の間を通り、容器外に排出される。
【００２９】
打栓終了後には、上蓋Ｂに対するの押圧力が外され、上蓋Ｂの内筒壁３２および外筒壁３１の復元力により、内筒壁３２の外周下端部  が注出筒６内周の間欠リブ１３を押圧し、摺動するとともに、外筒壁３１の係合部３３の上傾斜内面３３ａを、キャップ本体Ａの蓋係合部１８の蓋係合傾斜面２５の面上で内方に向かって摺動させ、上蓋Ｂをキャップ本体Ａに対して上昇させ、ヒンジキャップが速やかに元の状態に戻る。
【００３０】
このことで、図１、図４（ａ）に示すように、再び、キャップ本体Ａの注出筒６内周面と、上蓋Ｂの内筒壁３２外周下部との係合により、空気室ａと空気室ｂとの空気の流通路が速やかに閉鎖されるため、空気室ａ内は僅かに負圧となる。
また、上蓋Ｂの外筒壁３１の係合突部３５の係合面３５ａと、キャップ本体Ａの蓋係合部１８の膨出部２７の係合面２７ａとの係合により、空気室ｂ内と容器外との空気の流通路が速やかに閉鎖されるため、空気室ｂ内は僅かに負圧となる。
【００３１】
容器内の加熱された内容液、或いは、温水シャワーにより、ヒンジキャップ内の空気が加熱されても、キャップ内がもともと負圧となっているため、ヒンジキャップ内の内圧上昇を低く抑えることができる。
このため、ヒンジキャップ内の内圧が上昇したとしても、内圧上昇のためヒンジキャップの上蓋Ｂがキャップ本体Ａに対して開蓋するということを防止することができる。
【００３２】
また、本発明のヒンジキャップは、ヒンジキャップ内の内圧上昇により上蓋Ｂがキャップ本体Ａに対して開蓋することを防止することができるが、打栓時のヒンジキャップ内の負圧は僅かであるため、消費者が必要に応じて開蓋する際には、開蓋操作の障害にはならない。
【００３３】
本発明のヒンジキャップは、容器を廃棄する際は、まず、上蓋Ｂを開蓋し、上蓋Ｂを引張り上げると、ヒンジＣを介してキャップ本体Ａの外周筒部９が上昇し、外周筒部９と係合筒部８との間の弱化片２１を切断する。
次に、外周筒部９と係合筒部８との間の連結片２０を支点として、外周筒部９のヒンジＣ側が上昇し、さらに上蓋Ｂを引張ると、外周筒部９の連結片２０側も上昇する。
【００３４】
最後は、連結片２０を介して係合筒部８の外筒１７の連設部側のみが引張られ、係合筒部８の外筒１７が変形し、キャップ本体Ａと容器本体の口筒部１との係合が外れるので、簡単にヒンジキャップを容器本体から外して、分別廃棄することができる。
【実施例２】
【００３５】
次に、第１実施例の上蓋の内筒壁の外周下端部に係合突条を配設した第２実施例について説明する。
本実施例の第１実施例と同一の構成部分には、同一の符号を付して図示して詳しい説明を省略し、相違点を中心に説明する。  
【００３６】
図５において、Ａは容器本体に打栓されるキャップ本体、Ｂはキャップ本体ＡにヒンジＣを介して一体成形された上蓋である。
上蓋Ｂの内筒壁３２の下端部外周には、図５、図６（ａ）に示すように、キャップ本体Ａの注出筒６の内周面上部に摺接する膨出環４０が周設されている。
【００３７】
次に、本実施例のヒンジキャップの作用効果について説明する。
打栓前のヒンジキャップ内は、キャップ本体Ａの注出筒６内周面と、上蓋Ｂの内筒壁３２外周下端部の膨出環４０との係合により、空気室ａと空気室ｂとの空気の流通路が封鎖されている。
【００３８】
ヒンジキャップの打栓時に、ヒンジキャップの上蓋Ｂの上部より強い押圧力がかかり、上蓋Ｂがキャップ本体Ａに対して押圧され、下降することにより、上蓋Ｂの内筒壁３２の膨出環４０がキャップ本体Ａの注出筒６内周面を摺動し、図６（ｂ）に示すように、注出筒６内周に配設した間欠リブ１３に当接し、乗り上げ、内筒壁３２下端が内方に僅かに変形する。
【００３９】
このことにより、上蓋Ｂがキャップ本体Ａに対して下降し、押圧された空気室ａ内の空気が、間欠リブ１３の間欠部１３ａを流通路とし、上蓋Ｂの内筒壁３２外周とキャップ本体Ａの注出筒６内周との間隙を通り空気室ｂ内に排出される。
【００４０】
本実施例では、上蓋Ｂの内筒壁３２の下端外周に膨出環４０をが周設したことにより、実施例１に比べ、キャップ本体Ａの注出筒６内周と上蓋Ｂの内筒壁３２外周との間隙を確実に開設することができる。
その他の作用効果は、実施例１と同じである。
【実施例３】
【００４１】
次に、第１実施例において、キャップ本体の蓋係合部と上蓋の係合部の形状を変更した第３実施例について説明する。
同一の構成の部品については、同一の符号を付して図示し、説明を省略する。
以下、変更点を説明する。
【００４２】
図７、８において、Ａａは容器本体、Ｂａは上蓋である。
容器本体Ａａは、注出筒６と係合筒部８とを具えており、係合筒部８の上部には、上面を水平面４５とし、外周に膨出部４６を設けた蓋係合部４７が立設されている。
【００４３】
上蓋Ｂａは、頂壁３０と外筒壁３１とを具えており、外筒壁３１の内周下端には、係合部４８が設けられている。
係合部４８は、蓋係合部４７の上面の水平面４５と係合する水平な係合面４９と、膨出部４６の下方周面と係合する係合突条５０とから形成されており、係合面４９には、空気溝５１が配設されている。
【００４４】
打栓にあたって、上蓋Ｂａの外周壁３１が外方に変形して、蓋係合部４７の膨出部４６と係合突条５０との間に空気の流通路が形成される。
【００４５】
その他の構成は、第１実施例と同一であり、同一の作用効果を得ることができる。
【００４６】
上記各実施例では、キャップ本体Ａの注出筒６内周上部に、所定の距離の間欠部１３ａを複数形成した間欠リブ１３を配設したが、本発明は、打栓時に、上蓋Ｂの内筒壁３２の外周下端部が当接し、乗り上げることで、内筒壁３２を内方に変形させ、間隙を形成し、空気室ａ内から空気室ｂ内への空気の流通路を開設することができればよいので、例えば、間欠部が一個所の周方向のリブでも、所定の距離で周方向に複数の突部を形成したものでもよく、キャップ本体Ａの注出筒６内周に配設する間欠リブ１３の形状は、上記各実施例の形状に限定されない。
【産業上の利用可能性】
【００４７】
本発明は、ヒンジキャップにおいて、ヒンジキャップを容器へ打栓することで、ヒンジキャップ内を僅かに負圧にし、容器内の内容液、または、温水シャワーによりヒンジキャップ内の空気が加熱され、ヒンジキャップの上蓋が開蓋することを防止できるので、各種の加熱充填する内容液の容器のヒンジキャップとして、広く利用することができる。
【図面の簡単な説明】
【００４８】
【図１】本発明の第１実施例のヒンジキャップの断面立面図である。
【図２】ヒンジキャップの下面図である。
【図３】ヒンジキャップの打栓時の説明図である。
【図４】ヒンジキャップの説明図で、（ａ）は打栓時前後の要部拡大図、（ｂ）は打栓時の要部拡大図である。
【図５】本発明の第２実施例のヒンジキャップの断面立面図である。
【図６】ヒンジキャップの説明図で、（ａ）は打栓時前後の要部拡大図、（ｂ）は打栓時の要部拡大図である。
【図７】本発明の第３実施例のヒンジキャップの断面立面図である。
【図８】ヒンジキャップの説明図で、（ａ）は打栓時前後の要部拡大図、（ｂ）は打栓時の要部拡大図である。
【符号の説明】
【００４９】
Ａ、Ａａ  キャップ本体
Ｂ、Ｂａ  上蓋
Ｃ        ヒンジ
ａ、ｂ    空気室
１        口筒部
２、１９  係合突条
５        底壁
６        注出筒
７        リング状底壁
８        係合筒部
９        外周筒部
１０      注出口
１１      弱化部
１２      プルリング
１３      間欠リブ
１３ａ    間欠部
１５      上壁
１６      内筒
１７      外筒
１８      蓋係合部
２０      連結片
２１      弱化片
２５      蓋係合傾斜面
２６      縮径部
２７      膨出部
２７ａ、３５ａ  係合面
３０      頂壁
３１      外筒壁
３２      内筒壁
３３      係合部
３３ａ    上傾斜内面
３３ｂ    側内面
３４      空気溝
３５      係合突部
４０      膨出環
４５      水平面
４６      膨出部
４７      蓋係合部
４８      係合部
４９      係合面
５０      係合突条
５１      空気溝
【図１】
0004790434.tif 000002
【図２】
0004790434.tif 000003
【図３】
0004790434.tif 000004
【図４】
0004790434.tif 000005
【図５】
0004790434.tif 000006
【図６】
0004790434.tif 000007
【図７】
0004790434.tif 000008
【図８】
0004790434.tif 000009